(57)【要約】【課題】空気弁に起因する音鳴りを効果的に抑制することが可能な二重容器用注出キャップ及び二重容器を提案する。【解決手段】本発明の二重容器用注出キャップは、外気導入口７ｈ、環状壁７ｊ、並びに環状壁７ｊの周面部において周方向に隣り合う凹部７ｋ及び凸部７ｍを有するキャップ本体７と、通常時は弁座シール部７ｐに気密に当接して通気口３ｃと外気導入口７ｈとの間での空気の流通を遮断する一方、内部空間Ｎが減圧状態になると弾性変形して弁座シール部７ｐと非接触になる空気弁６ａとを備え、空気弁６ａは、環状壁７ｊに対して摺動可能であって、空気弁６ａが弾性変形した際は、凸部７ｍに当接した状態で凹部７ｋとの間に通気口３ｃと外気導入口７ｈとの間を流通する空気が通過する隙間ｇを区画するリング部６ｋを有する。【選択図】図１
2020193026.tif 000002
【特許請求の範囲】
【請求項１】
内容物を収容する充填空間を有する内層体と、該内層体との相互間に内部空間を区画するとともに該内部空間に通じる通気口を有する外層体とを備える容器本体に装着され、該外層体を押圧することによって該充填空間の内容物を注出口から注出させる二重容器用注出キャップであって、
前記通気口を覆って前記外層体に装着され、該通気口に通じる外気導入口、該通気口から該外気導入口に至る経路に位置する環状壁、並びに該環状壁の周面部において周方向に隣り合う凹部及び凸部を有するキャップ本体と、
通常時は前記キャップ本体に設けた弁座シール部に気密に当接して前記通気口と前記外気導入口との間での空気の流通を遮断する一方、前記内部空間が減圧状態になると弾性変形して該弁座シール部と非接触になる空気弁と、を備え、
前記空気弁は、前記環状壁に対して摺動可能であって、該空気弁が弾性変形した際は、前記凸部に当接した状態で前記凹部との間に前記通気口と前記外気導入口との間を流通する空気が通過する隙間を区画するリング部を有する二重容器用注出キャップ。
【請求項２】
前記環状壁は、前記リング部が摺動する向きに沿って、前記凹部及び前記凸部を設けた部位と、該凹部及び該凸部を設けずに前記弁座シール部として機能する部位となる非凹凸周面部とを備え、
前記空気弁は、通常時は前記非凹凸周面部に前記リング部が当接する一方、該空気弁が弾性変形すると該リング部が前記凸部に当接する、請求項１に記載の二重容器用注出キャップ。
【請求項３】
前記キャップ本体は、前記環状壁の径方向外側又は内側に前記弁座シール部を有し、
前記空気弁は、前記リング部の径方向外側又は内側に前記弁座シール部に当接する弁体シール部を有する、請求項１に記載の二重容器用注出キャップ。
【請求項４】
前記リング部は、前記凸部に対して摺動可能に当接する第二凸部を有する、請求項１〜３の何れか一項に記載の二重容器用注出キャップ。
【請求項５】
前記環状壁と前記リング部とが当接する部位に滑剤を有する請求項１〜４の何れか一項に記載の二重容器用注出キャップ。
【請求項６】
前記容器本体と請求項１〜５の何れか一項に記載の二重容器用注出キャップとで構成される二重容器。
【発明の詳細な説明】
【技術分野】
【０００１】
本発明は、内容物を収容する内層体と内層体を内側に収める外層体とを備える容器本体に装着され、外層体への押圧に伴って内容物を注出させる二重容器用注出キャップ、及び容器本体にこの注出キャップを装着した二重容器に関する。
【背景技術】
【０００２】
近年、内容物を収容する容器本体に注出キャップを装着した容器においては、例えば特許文献１に示されているような、内層体と外層体で構成した容器本体を用いた二重容器（デラミ容器、積層剥離容器ともいう）が使用されている。この種の外層体は可撓性を有していて、また表裏を貫く貫通穴（通気口）を設けて、内層体との相互間に形成される内部空間に空気を取り込むことができるよう構成されている。そして注出キャップには、内部空間から外界へ空気が漏れるのを防ぐ一方、内部空間が減圧されると外界から内部空間へ空気の導入が許容される空気弁が設けられている。
【０００３】
このような構成の二重容器によれば、外層体を押圧することによって内部空間が加圧され、これによって充填空間の圧力が高まって内容物を注出させることができる。また外層体への押圧を解除すれば、外層体の復元に伴って内部空間が減圧し、これによって通気口から内部空間へ空気が導入されて内層体のみを減容変形させることができる。すなわち、内容物が少なくなっても容器の自立性が維持されるという利点がある。また、外気と置換することなく内容物を注出させることができるので、収容した内容物の品質劣化が生じにくいという利点もある。このためこの種の容器は、例えば醤油、ソース、味醂、料理酒などの調味料やシャンプー、リンス、液体石鹸、化粧水などの化粧料を収容するのに好適なものとして多用されつつある。
【先行技術文献】
【特許文献】
【０００４】
【特許文献１】特開２０１１−３１９３２号公報
【発明の概要】
【発明が解決しようとする課題】
【０００５】
上述した注出キャップは、特許文献１に示されているように、外層体に装着されるキャップ本体の内側に空気弁を備えている。そしてキャップ本体は、外層体の通気口に通じる外気導入口を備えていて、また空気弁は、通常時はキャップ本体の裏面に当接して通気口と外気導入口との間での空気の流通を遮断する一方、内部空間が減圧状態になるとキャップ本体の裏面から離反するように弾性変形する結果、通気口と外気導入口との間での空気の流通が可能となる。
【０００６】
ところで、内部空間に導入される空気の量や流速などによっては、キャップ本体の裏面から離反した空気弁が振動して音鳴りが発生することがあった。
【０００７】
本発明は、このような問題点を解決することを課題とするものであり、空気弁に起因する音鳴りを効果的に抑制することが可能な二重容器用注出キャップ、及び二重容器を提供することを目的とする。
【課題を解決するための手段】
【０００８】
本発明は、内容物を収容する充填空間を有する内層体と、該内層体との相互間に内部空間を区画するとともに該内部空間に通じる通気口を有する外層体とを備える容器本体に装着され、該外層体を押圧することによって該充填空間の内容物を注出口から注出させる二重容器用注出キャップであって、
前記通気口を覆って前記外層体に装着され、該通気口に通じる外気導入口、該通気口から該外気導入口に至る経路に位置する環状壁、並びに該環状壁の周面部において周方向に隣り合う凹部及び凸部を有するキャップ本体と、
通常時は前記キャップ本体に設けた弁座シール部に気密に当接して前記通気口と前記外気導入口との間での空気の流通を遮断する一方、前記内部空間が減圧状態になると弾性変形して該弁座シール部と非接触になる空気弁と、を備え、
前記空気弁は、前記環状壁に対して摺動可能であって、該空気弁が弾性変形した際は、前記凸部に当接した状態で前記凹部との間に前記通気口と前記外気導入口との間を流通する空気が通過する隙間を区画するリング部を有する二重容器用注出キャップである。
【０００９】
前記環状壁は、前記リング部が摺動する向きに沿って、前記凹部及び前記凸部を設けた部位と、該凹部及び該凸部を設けずに前記弁座シール部として機能する部位となる非凹凸周面部とを備え、
前記空気弁は、通常時は前記非凹凸周面部に前記リング部が当接する一方、該空気弁が弾性変形すると該リング部が前記凸部に当接することが好ましい。
【００１０】
前記キャップ本体は、前記環状壁の径方向外側又は内側に前記弁座シール部を有し、
前記空気弁は、前記リング部の径方向外側又は内側に前記弁座シール部に当接する弁体シール部を有することが好ましい。
【００１１】
前記リング部は、前記凸部に対して摺動可能に当接する第二凸部を有することが好ましい。
【００１２】
前記環状壁と前記リング部とが当接する部位に滑剤を有することが好ましい。
【００１３】
そして本発明の二重容器は、前記容器本体と前記何れかの二重容器用注出キャップとで構成される。
【発明の効果】
【００１４】
本発明の二重容器用注出キャップ及び二重容器は、キャップ本体に設けた環状壁の周面部に対して周方向に隣り合う凹部及び凸部が設けられていて、空気弁は、環状壁に対して摺動可能なリング部を備えている。ここでリング部は、空気弁が弾性変形した状態において凸部に当接している。これにより空気弁の振動が抑えられるので、音鳴りが効果的に抑制できる。またリング部が凸部に当接した状態においては、リング部と凹部との間に、通気口と外気導入口との間を流通する空気が通過する隙間が区画される。従って外気導入口から取り込まれた空気は、この隙間を通過して内部空間に導入されるため、外層体をスムーズに復元させることができる。なお、本明細書等で当接とは、２つの部材が接触している状態のみならず、僅かに離れている状態も含む。
【図面の簡単な説明】
【００１５】
【図１】本発明に従う二重容器の第一実施形態を示した部分拡大断面図である。
【図２】図１における二重容器において、空気弁が下方に弾性変形した状態を示した部分拡大断面図である。
【図３】本発明に従う二重容器の第二実施形態を示した部分拡大断面図である。
【図４】図３における二重容器において、空気弁が下方に弾性変形した状態を示した部分拡大断面図である。
【発明を実施するための形態】
【００１６】
以下、図１、図２を参照して、本発明に従う二重容器の第一実施形態について説明する。なお、本明細書等において、「上」方向、「下」方向とは、図１に示すように外層体（符号３）が下方に位置し、蓋体（符号８）が上方に位置する状態での向きをいう。また以下の説明において二重容器用注出キャップは、単に注出キャップとして称することとする。
【００１７】
本実施形態の二重容器は、容器本体１（内層体２と外層体３で構成される）、注出キャップ４（中栓５、逆止弁６、キャップ本体７で構成される）、及び蓋体８を備えている。
【００１８】
内層体２は、その内側に内容物を収容可能な充填空間Ｓを備えている。本実施形態の内層体２は、薄肉の合成樹脂製であって、減容変形可能である。
【００１９】
外層体３は、上下方向に延在する筒状の口部３ａを備えている。口部３ａの外周面には雄ねじ部３ｂが設けられている。また口部３ａには、径方向に延在して口部３ａを貫通する通気口３ｃが設けられ、また通気口３ｃが開口する外周面には、上下方向に延在して雄ねじ部３ｂを分断する切欠き３ｄが設けられている。なお、図示は省略するが、口部３ａの下方には筒状の胴部と、胴部の下端を閉鎖する底部が設けられていて、外層体３はボトル状の形態をなしている。また本実施形態の外層体３は合成樹脂製であって、胴部は可撓性を有している。
【００２０】
また内層体２と外層体３との相互間には、通気口３ｃに通じる内部空間Ｎが形成されている。
【００２１】
本実施形態における内層体２と外層体３は、相互に相溶性が低い合成樹脂を剥離可能に積層させたものである。内層体２を構成する合成樹脂としては、例えばナイロン樹脂（ＰＡ）、エチレンビニルアルコール共重合樹脂（ＥＶＯＨ）、変性ポリオレフィン樹脂（例えば三井化学株式会社製「アドマー」（登録商標）等）、ポリエチレンテレフタレート樹脂（ＰＥＴ）の他、ポリエチレン樹脂（ＰＥ）やポリプロピレン樹脂（ＰＰ）を採用することができる。また外層体３を構成する合成樹脂としては、例えば低密度ポリエチレン（ＬＤＰＥ）や高密度ポリエチレン樹脂（ＨＤＰＥ）をはじめとするポリエチレン樹脂（ＰＥ）の他、ポリプロピレン樹脂（ＰＰ）やポリエチレンテレフタレート樹脂（ＰＥＴ）を採用することができる。なお内層体２と外層体３は、単一の合成樹脂によってそれぞれが単層構造となるように形成されるものでもよいし、複数の合成樹脂を重ね合わせてそれぞれが積層構造となるように形成されるものでもよい。このような内層体２と外層体３は、内層体２を形成する合成樹脂素材と外層体３を形成する合成樹脂素材とが積層されたパリソンを、ブロー成形することによって得ることができるが、他にも、内層体２の合成樹脂素材と外層体３の合成樹脂素材とを積層させた試験管状のプリフォームを準備し、このプリフォームを２軸延伸ブロー成形して形成することや、内層体及び外層体を個別に形成し、その後、内層体を外層体の内側に配置したものも用いることができる。また、図示は省略するが、内層体２と外層体３との間に、縦方向に延在して内層体２と外層体３とを部分的に接合する、１本或いは複数本の接着帯を設けてもよい。
【００２２】
中栓５は、口部３ａの上方に位置して充填空間Ｓを閉鎖する隔壁を備えている。本実施形態の隔壁は、内側に貫通孔（内容物用連通口５ａ）を有する筒状壁５ｂと、筒状壁５ｂの径方向外側に位置するとともに上方を開放した中間壁５ｃと、中間壁５ｃから径方向外側に向けて延在するフランジ壁５ｄとにより構成されている。フランジ壁５ｄの下面には、外層体３との間で内層体２を液密に挟持する下部環状壁５ｅが設けられていて、フランジ壁５ｄの上面には、上部環状壁５ｆが設けられている。またフランジ壁５ｄと上部環状壁５ｆとの連結部には、上部環状壁５ｆの径方向内側と外側とを通じさせる連通開口５ｇが設けられている。
【００２３】
逆止弁６は、空気の流れを規制するための空気弁６ａと、内容物の流れを規制するための注出弁６ｂとを有している。本実施形態の逆止弁６は、ゴムやエラストマー、軟質ポリエチレン（低密度ポリエチレン）等の軟質材で形成されている。
【００２４】
空気弁６ａは、筒状をなし下端部が中間壁５ｃによって支持される基部６ｃを備えている。また基部６ｃの径方向外側には、薄肉のドーナツ板状であって、図１に示すように内縁部が基部６ｃに対して一体に連結して基部６ｃに固定支持され、そこから径方向外側に向かって下方に傾くように延在する空気弁本体６ｄが設けられている。このような空気弁本体６ｄは、その外縁部が上下動するように弾性変形することが可能である。また空気弁本体６ｄの外縁部には、上方に向けて延在するリング部６ｅが一体に連結していて、リング部６ｅの上端における内周面には、径方向外側に向けて突出する凸部（第二凸部）６ｆが設けられている（図１の拡大図参照）。
【００２５】
そして注出弁６ｂは、内容物用連通口５ａの上方に位置し、筒状壁５ｂの上端部に着座して内容物用連通口５ａを閉鎖する板状の注出弁本体６ｇと、注出弁本体６ｇと基部６ｃとを弾性的に連結する連結片６ｈとを備えている。注出弁６ｂは、例えば３点弁や４点弁のように複数本の連結片６ｈによって注出弁本体６ｇと基部６ｃとを連結するものに限られず、１点弁の如き一つの連結片６ｈによって注出弁本体６ｇと基部６ｃとを連結するものでもよい。
【００２６】
キャップ本体７は、逆止弁６の上方に位置する天壁７ａと、天壁７ａの外縁に一体に連結するとともに通気口３ｃを覆って口部３ａを取り囲む外周壁７ｂとを備えている。外周壁７ｂの内周面には、雄ねじ部３ｂに適合する雌ねじ部７ｃが設けられている。
【００２７】
天壁７ａの中央部には、天壁７ａを貫く孔の縁部から上方に向けて延在し、その上部開口を内容物の注出口７ｄとする注出筒７ｅが設けられている。また天壁７ａの下面には、径方向内側と外側で基部６ｃの上端部を挟持するようにしてこれを支持する支持部７ｆが設けられている。
【００２８】
支持部７ｆの径方向外側には、天壁７ａから上方に向けて立ち上がる有蓋筒状の膨出部７ｇが設けられている。膨出部７ｇには、その上面を貫通する外気導入口７ｈが設けられている。
【００２９】
また天壁７ａの下面において、膨出部７ｇの径方向外側には、下方に向けて延在する環状壁７ｊが設けられている。図１における拡大図に示すように本実施形態の環状壁７ｊは、径方向外側に位置する外周面部において、環状壁７ｊの先端から根元に向かって（下方から上方に向かって）、環状壁７ｊの上下方向中間部まで溝状に延在する凹部７ｋを備えている。なお、図１のＡ−Ａに沿う断面図に示すように、凹部７ｋに対して周方向の両側に位置する環状壁７ｊの外周面部は、凹部７ｋを基準にすると径方向外側に突出する形態となる。従って本明細書等においては、凹部７ｋに対して周方向の両側に位置する環状壁７ｊの外周面部を凸部７ｍと称することとする。また凹部７ｋよりも上方は、凹部７ｋや凸部７ｍが設けられていない部位（環状壁７ｊの外周面部がそのまま残っている部位）であって、本明細書等においてはこの部位を非凹凸周面部７ｐと称する。
【００３０】
更に天壁７ａの上面には、径方向外側に向けて膨出する爪部７ｎが設けられている。
【００３１】
蓋体８は、天壁７ａの上方に位置する頂壁８ａと、頂壁８ａに一体に連結する蓋体外周壁８ｂとを備えている。頂壁８ａの中央部における下面には、注出筒７ｅの内側に挿入されるとともに注出筒７ｅの内面と気密に当接するシール筒８ｃが設けられている。またシール筒８ｃの径方向外側には、爪部７ｎに係合する係合壁８ｄが設けられている。そして蓋体外周壁８ｂの外周面には、キャップ本体７の外周壁７ｂに一体に連結するヒンジ部８ｅが設けられている。なお、本実施形態の蓋体８はキャップ本体７と一体に連結するものであるが、キャップ本体７とは別異に設け、ねじやアンダーカットによってキャップ本体７に着脱自在に取り付けるようにしてもよい。
【００３２】
このような中栓５、逆止弁６、キャップ本体７を外層体３に装着すると、通常時は図１に示す如き状態になる。この状態においては、図１の拡大図に示すように、リング部６ｅが環状壁７ｊの径方向外側に位置していて、リング部６ｅに設けた第二凸部６ｆは、環状壁７ｊの非凹凸周面部７ｐに気密に当接している。なお空気弁本体６ｄは、後述するように内部空間Ｎが減圧状態になると下方に撓むように弾性変形するものである。この際にリング部６ｅは、環状壁７ｊに対して下方に向けて移動し、第二凸部６ｆは、図２において仮想線と実線で示すように、非凹凸周面部７ｐから凹部７ｋ及び凸部７ｍが設けられた部位まで摺動する。すなわち、内部空間Ｎが減圧状態になると、第二凸部６ｆは凸部７ｍに当接しつつ、第二凸部６ｆと凹部７ｋの相互間には、図２のＢ−Ｂに沿う断面図に示すように隙間ｇが区画される。
【００３３】
また隙間ｇが区画される際、キャップ本体７の内側には、外気導入口７ｈから通気口３ｃまで連通する空気の通る通路（連通路）が形成される。本実施形態の連通路は、外気導入口７ｈから膨出部７ｇの内側を通り、図２に示した隙間ｇを通過して連通開口５ｇを通り、更に雄ねじ部３ｂと雌ねじ部７ｃとの間に形成される螺旋状の隙間（又は切欠き３ｄによる隙間）を経由して通気口３ｃに至る通路である。
【００３４】
このような構成になる二重容器は、外層体３の胴部を押圧することによって内部空間Ｎが加圧され、これによって充填空間Ｓの圧力が高まるため、充填空間Ｓの内容物は、注出弁本体６ｇを上昇させつつ、内容物用連通口５ａから連結片６ｈの周囲の隙間を通って基部６ｃの内側に流れ込み、注出筒７ｅの内部を通って注出口７ｄから注出される。なお、上述した連通路は、内部空間Ｎが加圧された状態においては、図１の拡大図に示すように第二凸部６ｆが非凹凸周面部７ｐに気密に当接していて非連通の状態になっているため、内部空間Ｎの空気が外気導入口７ｈから漏れ出すことはない。
【００３５】
その後、外層体３の胴部への押圧を解除すれば、充填空間Ｓの圧力が元の状態に戻って注出弁本体６ｇが筒状壁５ｂの上端部に着座するため、内容物用連通口５ａから充填空間Ｓへの外気の流れ込みを防止することができる。また、押圧の解除に伴って外層体３の胴部が復元し始めると、内部空間Ｎの容積が増えることから内部空間Ｎは減圧状態になる。これにより、空気弁本体６ｄが下方に撓むようにして弾性変形するとともにリング部６ｅが環状壁７ｊに対して下方に向けて移動し、第二凸部６ｆと凹部７ｋの相互間には上述した隙間ｇが区画されるため、外気導入口７ｈから導入された空気は、連通路を通って内部空間Ｎへ導入される。これにより内層体２を減容変形させたまま、外層体３を復元させることができる。またこの状態においては、第二凸部６ｆが凸部７ｍに当接していて、空気弁６ａの振動が抑えられるので、音鳴りを効果的に抑制することができる。
【００３６】
ところで近年は、例えばリサイクル性を考慮して、内層体２や外層体３の素材としてポリエチレンテレフタレート樹脂（ＰＥＴ）の採用が検討されている。この素材は二重容器で多用されている低密度ポリエチレン（ＬＤＰＥ）よりも曲げ弾性率が高く、外層体３に用いたときには剛性が高くなるため、外層体３への押圧を解除すると、胴部が急速に復元する。すなわち、外層体３が復元する際に内部空間Ｎに導入される空気の流速が上がりやすくなるため、空気弁６ａの振動が大きくなる傾向がある。このような場合には、例えば第二凸部６ｆの突出量を増やして凸部７ｍとの接触抵抗を高めることによって、空気弁６ａの振動が大きくなる場合でも、音鳴りを効果的に抑えることができる。
【００３７】
次に、図３、図４を参照しながら本発明に従う二重容器の第二実施形態について説明する。なお、上述した第一実施形態の二重容器に対して機能や構成が実質的に同一となる部分については、図面に同一の符号を付して説明は省略する。
【００３８】
本実施形態の二重容器は、上述した逆止弁６における空気弁本体６ｄに替えて、空気弁本体６ｊを備えている。図３に示したように空気弁本体６ｊは、内縁部が基部６ｃに対して一体に連結して基部６ｃに固定支持され、そこから下向きに湾曲するようにして径方向外側に向かって延在している。また空気弁本体６ｊの先端部には、上方に向けて延在するリング部６ｋが設けられていて、リング部６ｋの上端における内周面には、径方向内側に向けて突出する凸部（第二凸部）６ｍが設けられている。そしてリング部６ｋの径方向外側には、水平方向に沿って延在する平坦状の弁体シール部６ｎが設けられていて、弁体シール部６ｎの径方向外側には、下方に向けて斜めに延在する傾斜部６ｐが設けられている。
【００３９】
そしてキャップ本体７は、上述した環状壁７ｊに替えて、環状壁７ｑを備えている。環状壁７ｑにおける径方向外側の外周面部には、環状壁７ｑの先端から根元まで上下方向に延在する凸部７ｒが設けられている。なお、図３のＣ−Ｃに沿う断面図に示すように凸部７ｒに対して周方向の両側に位置する環状壁７ｑの外周面部は、凸部７ｒを基準にすると径方向内側に凹む形態となる。よって本明細書等においては、凸部７ｒに対して周方向の両側に位置する環状壁７ｑの外周面部を凹部７ｓと称することとする。
【００４０】
またキャップ本体７は、環状壁７ｑの径方向外側において、下方に向けて突出し、突き出した下面が平坦状になる弁座シール部７ｔを備えている。
【００４１】
本実施形態の二重容器においては、図３に示すように中栓５、逆止弁６、キャップ本体７を外層体３に装着すると、通常時は図３の拡大図に示すように、逆止弁６の第二凸部６ｍが環状壁７ｑの凸部７ｒに当接していて、第二凸部６ｍと凹部７ｓの相互間には、図３のＣ−Ｃに沿う断面図に示すように隙間ｇが区画される。なお通常時においては、弁体シール部６ｎが弁座シール部７ｔに気密に当接するため、外気導入口７ｈから通気口３ｃまでつながる連通路は、弁体シール部６ｎと弁座シール部７ｔによって非連通となっている。
【００４２】
一方、内部空間Ｎが減圧状態になると、空気弁本体６ｊが下方に撓むように弾性変形し、リング部６ｋは環状壁７ｑに対して下方に向けて移動する。なおこの状態においても、逆止弁６の第二凸部６ｍが環状壁７ｑの凸部７ｒに当接していて、第二凸部６ｍと凹部７ｓの相互間には隙間ｇが区画されている。またこのとき弁体シール部６ｎは、図４に実線で示すように弁座シール部７ｔから離反するため、連通路は、外気導入口７ｈから通気口３ｃまで連通した状態となっている。
【００４３】
このような構成になる二重容器は、前述の二重容器と同様に、外層体３の胴部を押圧すると内部空間Ｎが加圧されて充填空間Ｓの圧力が高まるため、充填空間Ｓの内容物は、注出弁本体６ｇを上昇させつつ、内容物用連通口５ａから連結片６ｈの周囲の隙間を通って基部６ｃの内側に流れ込み、注出筒７ｅの内部を通って注出口７ｄから注出される。なおこの状態においては、弁体シール部６ｎが弁座シール部７ｔに気密に当接しているため、内部空間Ｎの空気が外気導入口７ｈから漏れ出すことはない。
【００４４】
そして、外層体３の胴部への押圧を解除してこれが復元し始め、内部空間Ｎが減圧状態になると、空気弁本体６ｊが下方に撓むようにして弾性変形するとともにリング部６ｅが環状壁７ｊに対して下方に向けて摺動する。この状態において連通路は、上述したように外気導入口７ｈから通気口３ｃまで連通した状態となっているため、外気導入口７ｈから取り込まれた空気は内部空間Ｎへ導入され、内層体２を減容変形させたまま、外層体３を復元させることができる。またこの状態においては、第二凸部６ｍが環状壁７ｑの凸部７ｒに当接しているため、空気弁６ａの振動を抑えることができる。よって本実施形態の二重容器においても、空気弁６ａの音鳴りを効果的に抑制することができる。
【００４５】
以上、本発明に従う二重容器用注出キャップ、及び二重容器について具体的な実施形態に沿って説明したが、本発明はこのような実施形態に限定されるものではない。例えば、上述した実施形態のリング部６ｅ、６ｋは、環状壁７ｊ、７ｑの径方向外側に位置していて、凹部７ｋ、７ｓ及び凸部７ｒ、７ｍは環状壁７ｊ、７ｑの外周面部に設けられているが、リング部６ｅ、６ｋを環状壁７ｊ、７ｑの径方向内側に位置させ、凹部７ｋ、７ｓ及び凸部７ｒ、７ｍを環状壁７ｊ、７ｑの内周面部に位置させてもよい。
【００４６】
また図１に示す第一実施形態では、環状壁７ｊの外周面部に溝状の凹部７ｋを設け、凹部７ｋに対して周方向の両側に位置する環状壁７ｊの外周面部を凸部７ｍとしたが、この外周面部から径方向外側に突出する部位を設けて凸部とし、この凸部に対して周方向の両側に位置する環状壁７ｊの外周面部を凹部としてもよい。また図３に示す第二実施形態においても上述した第一実施形態の変形例と同様に、環状壁７ｑの外周面部に溝状の凹部を設け、この凹部に対して周方向の両側に位置する環状壁７ｑの外周面部を凸部としてもよい。
【００４７】
また、環状壁７ｊ、７ｑとリング部６ｅ、６ｋとが摺動する部位には、滑剤を塗布してもよい。これにより、環状壁７ｊ、７ｑとリング部６ｅ、６ｋとの摺動抵抗が小さくなるため、空気弁６ａの弾性変形に伴って、環状壁７ｊ、７ｑに対してリング部６ｅ、６ｋをスムーズに摺動させることができる。なお滑剤は多数の種類があるが、逆止弁６及びキャップ本体７を形成する素材に適合するものを選択すればよい。
【００４８】
また、第二実施形態におけるキャップ本体７の弁座シール部７ｔを環状壁７ｑの径方向内側に設け、空気弁６ａの弁体シール部６ｎをリング部６ｋの径方向内側に設けてもよい。
【符号の説明】
【００４９】
１    ：容器本体
２    ：内層体
３    ：外層体
３ａ  ：口部
３ｂ  ：雄ねじ部
３ｃ  ：通気口
３ｄ  ：切欠き
４    ：注出キャップ
５    ：中栓
５ａ  ：内容物用連通口
５ｂ  ：筒状壁
５ｃ  ：中間壁
５ｄ  ：フランジ壁
５ｅ  ：下部環状壁
５ｆ  ：上部環状壁
５ｇ  ：連通開口
６    ：逆止弁
６ａ  ：空気弁
６ｂ  ：注出弁
６ｃ  ：基部
６ｄ  ：空気弁本体
６ｅ  ：リング部
６ｆ  ：第二凸部
６ｇ  ：注出弁本体
６ｈ  ：連結片
６ｊ  ：空気弁本体
６ｋ  ：リング部
６ｍ  ：第二凸部
６ｎ  ：弁体シール部
６ｐ  ：傾斜部
７    ：キャップ本体
７ａ  ：天壁
７ｂ  ：外周壁
７ｃ  ：雌ねじ部
７ｄ  ：注出口
７ｅ  ：注出筒
７ｆ  ：支持部
７ｇ  ：膨出部
７ｈ  ：外気導入口
７ｊ  ：環状壁
７ｋ  ：凹部
７ｍ  ：凸部
７ｎ  ：爪部
７ｐ  ：非凹凸周面部（弁座シール部）
７ｑ  ：環状壁
７ｒ  ：凸部
７ｓ  ：凹部
７ｔ  ：弁座シール部
８    ：蓋体
８ａ  ：頂壁
８ｂ  ：蓋体外周壁
８ｃ  ：シール筒
８ｄ  ：係合壁
８ｅ  ：ヒンジ部
Ｎ    ：内部空間
Ｓ    ：充填空間
ｇ    ：隙間
【図１】
2020193026.tif 000003
【図２】
2020193026.tif 000004
【図３】
2020193026.tif 000005
【図４】
2020193026.tif 000006